(57)【要約】  【課題】テープ形光ファイバ心線の接続部において，目的の光ファイバ素線を別系統への接続に対し作業時間を短縮しつつ運用している光ファイバ素線の停止時間をなくし，光ファイバ素線の有効活用ができ最終的には建設コストを低減する分岐接続用複合光心線にすること。      【解決手段】光ファイバ素線２２を複数本リボン状に並べ樹脂２３により固定されたテープ形光ファイバ心線２１の一部が任意の長さで光ファイバ素線２２に分離されて構成、および前記テープ形光ファイバ心線２１の一部が前記光ファイバ素線２２に分離されている構造が複数箇所からなる構成である。  【選択図】図２
2007101806.tif 000002
【特許請求の範囲】
【請求項１】
光ファイバ素線を複数本リボン状に並べ樹脂により固定されたテープ形光ファイバ心線において，
前記テープ形光ファイバ心線の一部が前記光ファイバ素線に分離されている構造を特徴とする分岐接続用複合光心線。
【請求項２】
光ファイバ素線を複数本リボン状に並べ樹脂により固定されたテープ形光ファイバ心線において，前記テープ形光ファイバ心線の一部が前記光ファイバ素線に分離されている構造が複数箇所からなる構成を備えていることを特徴とする分岐接続用複合光心線。
【請求項３】
前記テープ形光ファイバ心線の一部が前記光ファイバ素線に分離されている構造において，その境界部の一部が仮止材で処理されている構造を特徴とする請求項１に記載の分岐接続用複合光心線。
【請求項４】
前記テープ形光ファイバ心線の一部が前記光ファイバ素線に分離されている構造が複数箇所からなる構成において，両端を除くその境界部の全部が前記仮止材で処理されている構造を特徴とする請求項２に記載の分岐接続用複合光心線。
【請求項５】
前記テープ形光ファイバ心線の一部が前記光ファイバ素線に分離されている構造が複数箇所からなる構成において，その境界部の両端は一部が前記仮止材で処理されている構造および他の境界部の全部が前記仮止材で処理されている構造を特徴とする請求項２に記載の分岐接続用複合光心線。
【発明の詳細な説明】
【技術分野】
【０００１】
本発明は光ケーブル網の接続個所において光ファイバを分岐接続等に使用される光ファイバの分岐接続用複合光心線に関するものである。
【背景技術】
【０００２】
従来，テープ形光ファイバ心線を用いた光ケーブル網での光ケーブル相互の接続は通常クロージャ内または接続函内で接続が行われている。また、新規の場合はテープ形光ファイバ心線同士を一括にて融着接続機等にて行われる（特許文献１）。
【０００３】
このとき別系統に対してテープ形光ファイバ心線単位でなく光ファイバ素線単位で接続するので，光ケーブルから延びるテープ形光ファイバ心線を光ファイバ素線に分離して必要な光ファイバ素線を別系統に対して接続し，残った光ファイバ素線を本来の系統へ融着接続等の技術がある。
【０００４】
また，光ケーブル相互の接続が以前に完了している接続部において別系統に対し接続が新たに必要になった場合においては，テープ形光ファイバ心線を一旦切断し，前述同様にテープ形光ファイバ心線を光ファイバ素線に分離して必要な光ファイバ素線を別系統に対して接続し，残った光ファイバ素線を本来の系統へ融着接続等の技術がある（特開２００４−２４００１４号公報）。
【０００５】
或いは，光ケーブル相互の接続が以前に完了している接続部において別系統への接続が新たに必要になった場合において，前述とは異なりテープ形光ファイバ心線を切断せずに別系統に対して必要な光ファイバ素線をテープ形光ファイバ心線単位でリボン状に並べるために用いている樹脂を除去し分離した後，必要な光ファイバ素線のみを切断した上で別系統に対して融着接続等の技術がある。
【０００６】
他には，光ケーブル網での光ケーブル相互の新規接続または光ケーブル相互の接続が以前に完了している接続部においてテープ形光ファイバ心線テープ単位で切断し，別系統に対して接続する場合，テープ形光ファイバ心線単位で融着接続等の技術がある。
【０００７】
【特許文献１】特開平１１−３５２３５５号公報第１頁
【特許文献２】特開２００４−２４００１４号公報第１頁
【特許文献３】特開２００４−３５４８８９号公報
【発明の開示】
【発明が解決しようとする課題】
【０００８】
従来の接続技術の場合，光ケーブル網で新規の接続で別系統に対してテープ形光ファイバ心線単位でなく光ファイバ素線単位で接続する必要がある場合は，光ケーブルから延びるテープ形光ファイバ心線を光ファイバ素線に分離して必要光ファイバ素線を別系統に対して接続し，残った光ファイバ素線を本来の系統へ接続するため，光ファイバ素線分離および光ファイバ素線の接続に作業時間を要する問題があるほか，光ファイバ素線分離時における断線などの作業リスクという問題がある。
【０００９】
また，テープ形光ファイバ心線単位で光ケーブル相互の接続が以前に完了している接続部における別系統に対し接続が新たに必要になった場合においては，必要光ファイバ素線数に係わらずテープ形光ファイバ心線を一旦切断しなければならず，運用している光ファイバ素線が存在する場合は運用が一時停止する問題があるほか前述同様にテープ形光ファイバ心線を光ファイバ素線に分離を要する時間的問題，分離時における断線などの作業リスクの問題，運用していた光ファイバ素線を元に戻すまでの復旧時間を要するという問題がある。
【００１０】
或いは，テープ形光ファイバ心線単位で光ケーブル相互の接続が以前に完了している接続部における別系統への接続が新たに必要になった場合においては，前述とは異なりテープ形光ファイバ心線を切断せずに別系統に対して必要な光ファイバ素線を接続するためにリボン状に並べるためのテープ形光ファイバ心線の樹脂を除去し分離した後必要な光ファイバ素線のみを切断した上で別系統に対して接続するので樹脂の除去作業時切断不要の光ファイバ素線に外的損傷与えてしまう可能性や運用している切断不要の光ファイバ素線に対し作業による外的要因で運用品質の劣化等の問題がある。
【００１１】
前述した問題を最小限或いは解決するため，テープ形光ファイバ心線単位で光ケーブル相互の接続が以前に完了している接続部において別系統への接続が生じた場合にテープ形光ファイバ心線単位で接続する技術があるが，目的以外の光ファイバ素線も接続してしまうため光ファイバ素線の有効活用ができず建設コストが嵩む問題がある。
【００１２】
本発明の課題は，別系統への接続に対し作業時間を短縮しつつ運用している光ファイバ素線の停止時間をなくし，或いは最小限にすることおよび光ファイバ素線の有効活用ができ最終的には建設コストを低減する分岐接続用複合光心線を提供することにある。
【課題を解決するための手段】
【００１３】
本発明によれば，光ファイバ素線を複数本リボン状に並べ樹脂により固定されたテープ形光ファイバ心線において，前記テープ形光ファイバ心線の一部が前記光ファイバ素線に分離されている構造を特徴とする分岐接続用複合光心線が得られる。
【００１４】
さらに，前記テープ形光ファイバ心線の一部が前記光ファイバ素線に分離されている構造が複数箇所からなる構成を備えていることを特徴とする分岐接続用複合光心線が得られる。
【００１５】
さらに，前記テープ形光ファイバ心線の一部が前記光ファイバ素線に分離されている構造において，その境界部の一部が仮止材で処理されている構造を特徴とする分岐接続用複合光心線が得られる。
【００１６】
前記テープ形光ファイバ心線の一部が前記光ファイバ素線に分離されている構造が複数箇所からなる構成において，両端を除くその境界部の全部が仮止材で処理されている構造を特徴とする分岐接続用複合光心線が得られる。
【００１７】
前記テープ形光ファイバ心線の一部が前記光ファイバ素線に分離されている構造が複数箇所からなる構成において，その境界部の両端は一部が仮止材で処理されている構造および他の境界部の全部が仮止材で処理されている構造を特徴とする分岐接続用複合光心線が得られる。
【発明の効果】
【００１８】
本発明の分岐接続用複合光心線は、テープ形光ファイバ心線の一部が樹脂により光ファイバ素線が分離されているため，目的の光ファイバ素線を他の光ファイバ素線またはテープ形光ファイバ心線に影響を与えることなく別系統への接続が短時間で容易に作業することが可能となる。
【００１９】
また，本発明の分岐接続用複合光心線は，分離した光ファイバ素線を仮止材にて所定の個所または複数個所を固定している構造のため，別系統への所要の長さに応じ光ファイバ素線の長さが容易に調整できる。
【発明を実施するための最良の形態】
【００２０】
以下，本発明に係わる分岐接続用複合光心線の１実施の形態について図面を参照して詳細に説明する。
【００２１】
図１は本発明で用いる従来のテープ形光ファイバ心線の断面構造例であり、１はテープ形光ファイバ心線、２は光ファイバ素線、３は樹脂である。ここでテープ形光ファイバ心線１はテープ形であればよく、その形状、形態は説明図に例示したものに限定されるものではない。
【００２２】
図２は本発明の分岐接続用複合光心線の一実施の形態を示す図であり，光ファイバ素線２２を複数本リボン状に並べ樹脂２３により固定されたテープ形光ファイバ心線２１の一部が任意の長さで光ファイバ素線２２に分離されて構成されている。分離はテープ形光ファイバ心線２１の樹脂２３に対し、市販の専用工具で分離するかサンドペーパや刃物などで樹脂２３の表面に傷を付与することで所定の長さで樹脂２３と光ファイバ素線２２に分離できる。
【００２３】
光ファイバ素線２２は，各々分離されていることにより短時間で，容易に目的とする光ファイバ素線２２を選択して切断し別系統に接続できる。
【００２４】
また、光ファイバ素線２２を別系統へ接続しようとした際、接続に必要な光ファイバ素線２２の長さが不足する場合は、テープ形光ファイバ心線２１が光ファイバ素線２２に分離されている境界部より不足する長さ分を更に樹脂２３から分離することができる。
【００２５】
次に，本発明に係わる分岐接続用複合光心線の他の実施形態について図面を参照して詳細に説明する。図３に示すように，光ファイバ素線３２を複数本リボン状に並べ樹脂３３により固定されたテープ形光ファイバ心線３１の一部が任意の長さで光ファイバ素線３２に分離された構造が複数箇所から構成されている。
【００２６】
これにより容易に目的とする光ファイバ素線３２を短時間で選択でき，且つ複数箇所存在する樹脂３３により任意の長さで固定されているテープ形光ファイバ心線３１の樹脂３３から光ファイバ素線２２を分離することで短時間での別系統への接続に必要な光ファイバ素線３２の長さを調整することが可能となる。
【００２７】
図４は、本発明に係わる分岐接続用複合光心線において分離されている光ファイバ素線４２を別系統に接続する際に長さが不足した場合、テープ形光ファイバ心線４１を更に分離する必要がある際、容易に分離実施可能な他の実施形態の構造例の説明であり、テープ形光ファイバ心線４１と光ファイバ素線４２の境界部において光ファイバ素線４２を再度リボン状に並べ仮止材４４により所要の長さをテープ形光ファイバ心線４１のように固定して構成される。
【００２８】
ここで仮止材４４は固定力が適度に小さいものが理想的で例えばシリコン系や酢酸ビニル系を成分とする接着剤や例えば紙，プラスチック系および布等の粘着テープおよび例えばプラスチック系の収縮チューブであるが光ファイバ素線４２の分離が容易であればよく本実施例に例示した材質、成分、形状、形態に限定されるものではない。
【００２９】
これにより別系統への接続において、光ファイバ素線４２の長さが不足し更に分離する際、容易に分離できることから光ファイバ素線４２を断線することなく、しかも運用している光ファイバ素線４２またはテープ形光ファイバ心線４１に影響させることなく別系統への接続が可能となる。
【００３０】
図５はテープ形光ファイバ心線５１の一部が光ファイバ素線５２に分離されている構造が複数箇所からなる構成において，両端を除くその境界部の全部が仮止材５４で固定されている構造例であり、テープ形光ファイバ心線５１の樹脂５３より所要の長さに光ファイバ素線５２を分離した後，再度光ファイバ素線５２をリボン状に仮止材５４にて所定の個所を固定する。
【００３１】
このように複数箇所を仮止材５４にて固定することにより，光ファイバ素線５２が絡み合うことなく分岐接続用複合光心線として機能し，別系統への接続においても分離する際，運用している光ファイバ素線５２またはテープ形光ファイバ心線５１に影響させることなく目的とする光ファイバ素線５２を断線させずに容易に選択して短時間で別系統への接続作業が行える他，接続に必要な光ファイバ素線５２の長さを容易に調整することが可能となる。
【００３２】
図６はテープ形光ファイバ心線６１の一部が光ファイバ素線６２に分離されている構造が複数箇所からなる構成において，分離されている複数箇所の境界部の両端は，一部が仮止材６４で固定されている構造と他の境界部の全部が仮止材６４で固定されている構造例である。
【図面の簡単な説明】
【００３３】
【図１】本発明で用いる従来のテープ形光ファイバ心線の構造を示した断面図である。
【図２】本発明の分岐接続用複合光心線の一実施の形態を示した図である。
【図３】本発明の分岐接続用複合光心線の他の実施の形態を示した図である。
【図４】本発明の分岐接続用複合光心線のさらに他の実施の形態を示した図である。
【図５】本発明の分岐接続用複合光心線のさらに他の実施の形態を示した図である。
【図６】本発明の分岐接続用複合光心線のさらに他の実施の形態を示した図である。
【符号の説明】
【００３４】
１，２１，３１，４１，５１，６１    テープ形光ファイバ心線
２，２２，３２，４２，５２，６２    光ファイバ素線
３，２３，３３，５３                樹脂
４４，５４，６４                    仮止材
【図１】
2007101806.tif 000003
【図２】
2007101806.tif 000004
【図３】
2007101806.tif 000005
【図４】
2007101806.tif 000006
【図５】
2007101806.tif 000007
【図６】
2007101806.tif 000008